(57)【要約】      （修正有）【課題】机上用の棚装置において、灯具を、棚装置の収容容積を犠牲にしない状態で取付け可能とする机上用棚装置を提供する。【解決手段】棚装置４は左右の外側板５，６を備えている。灯具２５は支柱２６を有しており、支柱２６は、足部３０を有するベース体２９に前後回動可能に連結されている。支持ブラケット３１は、外側板５の外面に固定された板状部と、その前端に設けた筒部３２とを有しており、筒部３２は外側板５の手前に位置している。ベース体２９の足部３０が筒部３２に上から嵌まっている。【選択図】図１
2017029379.tif 000002
【特許請求の範囲】
【請求項１】
机上に配置する棚装置であって、
外側板や背板のように前端面又は上端面を若しくは両方を有する起立板と、水平姿勢に配置された棚板とを有しており、１枚の起立板を灯具支持板と成して、前記灯具支持板に、灯具が取り付く支持ブラケットを取り付けている構成において、
前記灯具は支柱を有している一方、前記支持ブラケットは、前記灯具支持板の前端面の手前に位置するか又は上端面の上に位置する上下長手の筒部と、前記灯具支持板の広幅面に固定された板状部とを有しており、前記筒部に、前記灯具における支柱の下端に設けた足部を上から嵌め込んでいる、
机上用棚装置。
【請求項２】
前記灯具支持板は、前記棚板を支持する左右外側板のうちの一方の外側板であり、前記支持ブラケットは、前記外側板の手前に位置した筒部と、前記外側板の外側面に重なる板状部とを有している、
机上用棚装置。
【請求項３】
前記支持ブラケットの筒部は、前記外側板の内側の収納エリアの側にはみ出ないように配置されている、
請求項２に記載した机上用棚装置。
【請求項４】
前記支持ブラケットの板状部及び筒部は、前記天板の側面よりも外側にはみ出ないように設定されている、
請求項２又は３に記載した机上用棚装置。
【請求項５】
前記支持ブラケットの板状部は、前記筒部の軸心に対して左右方向にずれていると共に、正面視で前記筒状部の後ろに隠れており、かつ、前記支持ブラケットは上下対称の形状になっている、
請求項２に記載した机上用棚装置。
【発明の詳細な説明】
【技術分野】
【０００１】
本願発明は、いわゆる学習机に好適な机上用棚装置に関するものである。
【背景技術】
【０００２】
主に児童が使用する机として、机上面の後部に棚装置を配置した学習机が広く使用されており、この学習机の棚装置には、一般に灯具が取り付けられている。灯具については、様々な形態や取り付け構造が提案されている。
【０００３】
その例として特許文献１には、棚装置を構成する外側板の内側面に取付金具（ブラケット）を固定し、取付金具に固定した支持腕（支持アーム）にランプを設けることが記載されている。特許文献１において、支持腕は、下部を前後長手の水平部と成した略Ｌ形になっており、水平部が、前後位置を変更可能でかつ軸心回りに回動させ得るようにして取付金具に固定されている。また、支持腕の上端には前向きの回動アームが連結されており、回動アームの先端にランプを取り付けている。
【先行技術文献】
【特許文献】
【０００４】
【特許文献１】実公昭５２−４４１６６号公報
【発明の概要】
【発明が解決しようとする課題】
【０００５】
特許文献１では、支持腕は回動可能でかつ前後位置も変更できるため、ランプの位置や向き（姿勢）を任意に変更することができて、使い勝手がよいという利点がある。しかし、取付金具を外側板の内側面に固形しているため、棚装置の内部の収容容積が取付金具の左右巾の分だけ減少するという問題がある。すなわち、取付金具によって、棚装置の収容容積が犠牲になっているという問題がある。
【０００６】
本願発明は、このような現状を改善すべく成されたものである。
【課題を解決するための手段】
【０００７】
本願発明は机上に設置される棚装置に係るもので、この机上用棚装置は、まず、外側板や背板のように前端面又は上端面を若しくは両方を有する起立板と、水平姿勢に配置された棚板とを有しており、１枚の起立板を灯具支持板と成して、前記灯具支持板に、灯具が取り付く支持ブラケットを取り付けている、という基本構成になっている。
【０００８】
そして、上記基本構成において、前記灯具は支柱を有している一方、前記支持ブラケットは、前記灯具支持板の前端面の手前に位置するか又は上端面の上に位置する上下長手の筒部と、前記灯具支持板の広幅面に固定された板状部とを有しており、前記筒部に、前記灯具における支柱の下端に設けた足部を上から嵌め込んでいる。なお、筒部が上下長手であるとは、筒部の軸心が上下方向に向いているということである。
【０００９】
本願発明は、様々な構成を含んでいる。その例として請求項２の発明は、請求項１において、前記灯具支持板は、前記棚板を支持する左右外側板のうちの一方の外側板であり、前記支持ブラケットは、前記外側板の手前に位置した筒部と、前記外側板の外側面に重なる板状部とを有している。
【００１０】
請求項３の発明は、請求項２において、前記支持ブラケットの筒部は、前記外側板の内側の収納エリアの側にはみ出ないように配置されている。更に請求項４の発明は、請求項２又は３において、前記支持ブラケットの板状部及び筒部は、前記天板の側面よりも外側にはみ出ないように設定されている。
【００１１】
また、請求項２の発明の展開例として、請求項５の発明では、前記支持ブラケットの板状部は、前記筒部の軸心に対して左右方向にずれていると共に、正面視で前記筒状部の後ろに隠れており、かつ、前記支持ブラケットは上下対称の形状になっている。
【発明の効果】
【００１２】
外側板の手前や上方は空間として空いており、物品の収納部にはなっておらずデッドスペースになっている。背板の上方も同様である。そして、本願発明では、灯具支持板の手前や上方のデッドスペースに支持ブラケットの筒部と灯具の支柱とが配置されているため、物品の収容容積を全く又はたいして減少させることなく、灯具を取り付けることができる。
【００１３】
すなち、灯具の支柱はデッドスペースに配置されるため、灯具の支柱によって棚装置の収容容積が犠牲になることは全く又は殆ど無く、更に、板状部が棚装置の外側に露出しておれば、板状部によって収容容積が減少することは皆無であり、仮に板状部が棚装置の内部に位置していても、板状部は薄くて収容部に占める容積は僅かなのであり、従って、物品の収容容積を全く又はたいして減少させることなく、灯具を取り付けることができるのである。しかも、板状部は広い面積を取ることができるため、灯具の支持安定性にも優れている。
【００１４】
また、灯具の支柱を筒部で支持するものであって、灯具の支柱に設けた足部を筒部に上から嵌め込むだけで足り、固定する必要はないため、灯具の取付け・取り外しもごく簡単である。また、筒部を円形にすると支柱は筒部の軸心回り水平旋回自在になるため、ランプの位置や姿勢の変更も簡単で使い勝手も一層向上できる。
【００１５】
支持ブラケットは、棚装置の中仕切板や背板に固定することも可能であるが、請求項２のように外側板に固定すると、灯具のランプをできるだけ使用者に近づけることができるため、使い勝手が一層よい利点がある。更に、板状部は外側板の外側面に固定されているため、板状部によって収容容積が減少することは皆無であり、この面でも優れている。
【００１６】
更に、請求項３の構成を採用すると、筒部は棚装置の収納エリアの側にはみ出てないため、物品の収容容積の現象を確実に回避できると共に、筒部が物品の出し入れの邪魔になることも防止できる。
【００１７】
また、請求項４の構成を採用すると、例えば、２つの机を、灯具が隣り合うようにして並設する場合、灯具同士の干渉を回避しつつ、天板を当接させた状態に配置することができる。また、灯具が壁際に位置するようにして机を設置したり、灯具が家具の側面のがわに位置するように机と他の家具（例えばキャビネット）とを並設したりするにおいて、灯具の板状部や筒部が壁や他の家具に当たることを防止しつつ、天板の側面を壁や他の家具に当てることができる。
【００１８】
従って、請求項４の発明では、天板の一側面を他の机や壁や家具に当接又は密接させた状態に配置することが支持ブラケットによって阻害されることはないのであり、このため、机のレイアウトの自由性を阻害しないという利点がある。
【００１９】
外側板に支持ブラケットを取付けるにおいて請求項３の構成を採用すると、筒状部を外側板の手前に配置しつつ、板状部の露出をできるだけ抑えて見栄えを良くすることができる。また、支持ブラケットは上下対称の形状になっているため、支持ブラケットを左外側板に固定したり右外側板に固定したりというように、灯具を左使いにしたり右使いにしたりする場合、１種類の支持ブラケットを上下にひっくり返すことで対応できる利点もある。
【図面の簡単な説明】
【００２０】
【図１】第１実施形態に係る学習机の部分分離斜視図である。
【図２】棚装置の正面図である。
【図３】図２のIII-III 視断面図である。
【図４】（Ａ）は支持ブラケットと左外側板との分離斜視図、（Ｂ）は支持ブラケットのみの斜視図である。
【図５】（Ａ）は要部の平断面図、（Ｂ）は支持ブラケットの左側面図、（Ｃ）は支持ブラケットの背面図、（Ｄ）は支持ブラケットの右側面図である。
【図６】（Ａ）は図２のVIA -VIA視断面図、（Ｂ）は（Ａ）のＢ−Ｂ視断面図である。
【図７】（Ａ）は第２実施形態に係る支持ブラケットの平断面図、（Ｂ）は（Ａ）のＢ−Ｂ視側面図、（Ｃ）は第３実施形態の平断面図である。
【図８】（Ａ）は第４実施形態の一部破断正面図、（Ｂ）は（Ａ）のＢ−Ｂ視断面図、（Ｃ）は第５実施形態の部分背面図である。
【発明を実施するための形態】
【００２１】
(1).概要
次に、本願発明の実施形態を図面に基づいて説明する。まず、机と棚装置との概要を、図１〜３に基づいて説明する。本願では方向を特定するために左右や前後の文言を使用しているが、これらの文言は、机を普通の姿勢で使用する人の向きを基準にしている。前後方向は奥行き方向と同じで、左右方向は間口方向と同じである。
【００２２】
本実施形態は、学習机１の木製棚装置に適用している。学習机１は、平面視四角形（左右横長の長方形）の天板２と、これを支持する左右の脚３とを有しており、天板２の右側部の下方には、上下複数段の引出しを有する袖キャビネット部（図示せず）を設けている。なお、学習机とは別体の袖キャビネットを設けてもよく、この場合は、袖キャビネットは、天板２の下方の空間の左右いずれの部位にも配置できる。
【００２３】
天板２の後部には棚装置４が配置されている。棚装置４は、その左右側端を構成する左右の外側板５，６と、左右外側板５，６の間に水平姿勢に配置された棚板７と、左右外側板５，６の後端部の間に配置された背板８とを有している。外側板５，６は縦長長方形で机上面に直立しており、図示ないクランプ金具によって天板２に固定されている（従って、クランプ金具の一部は天板２の側面の外側に露出している。）。棚板７は、右側寄りの部位において鉛直姿勢の中仕切板９で左右に分断されている。縦板７は複数段あってもよい。
【００２４】
そして、中仕切板９と右側の外側板６との間でかつ棚板７の下方に、上下２段の引出し１０を配置している。引出し１０は、中仕切板９及び右外側板６に設けたレール部に前後動自在に支持されている。従って、中仕切板９の下端は机上面まで届いておらず、中仕切板９と机上面との間に大きな間隔が空いている。図３に示すように、棚板７の前端部は木製の化粧縁材７ａで構成されている。
【００２５】
背板７は、その下端面を天板２に当接させた状態で直立しており、左右外側板５，６の内側面にダボ等で固定されている。図３に明示するように、背板８の後面は、外側板５，６の後端面よりも少し手前にずれている。従って、例えば外側板５を建物の壁に当てると、壁と背板８との間に若干の前後間隔の空間が空く。図２のとおり、背板８の左右下コーナー部には、ケーブル類を挿通するための配線用切り欠き１１を形成している。
【００２６】
例えば図１に示すように、左右の外側板５，６は、その上部後端が丸棒状の補強バー１２で連結されている。補強バー１２は、中仕切板９の上部後端に貫通している。中仕切板９は背板８と前後に噛み合っており、両者はダボ等で固定されている。
【００２７】
棚板７のうち左外側板５と中仕切板９との間の部分には、複数枚の可動仕切板１３が左右移動自在に配置されている。可動仕切板１３の後端部でかつ下端部には、図３に側面形状のみを示す安定化部材１４が固定されており、安定化部材１４に設けたＬ形の左右張り出し部１４ａで棚板７を後方及び下方から抱持している。従って、棚板７のうち左外側板５と中仕切板９との間の部位は、背板８との間に若干の隙間が空いている。
【００２８】
天板２のうち左外側板５に近い側の下面には、相対抗した左右一対の支持板１５を固定し、左右の支持板１５によって２段のプレート１６を前後動自在に支持している。プレート１６は、支持板１５に形成した溝に嵌まっている。プレート１６には、児童が学校から持ち帰ったプリント類や本人のファイル、ノートなど、薄い物品を何でも載せて収納できる。
【００２９】
左外側板５の内側面のうち手前側でかつ下端寄り部位に、電源用コンセント１７を取り付けている。コンセント１７は薄型であり、前面には、携帯式電気電子機器の電源プラグ１８の接続に好適な上下２つの一般用接続口１９が形成されており、上下２つの一般用接続口１９の間に灯具用スイッチ２０を設けている。
【００３０】
また、コンセント１７の後面には、灯具用プラグ２１を抜き差し自在な灯具用接続口（図示せず）と、鉛筆削りやデスクトップパソコンのような据え置き式機器に設けたその他据え置き式機器用プラグ２２を抜き差し自在なその他据え置き式機器用接続口（図示せず）とが形成されている。また、コンセント１７には、その後面に開口した穴から電源ケーブル２３が引き込まれる。なお、コンセント１７は、左右方向及び上下方向に反転させることにより、一般用接続口１９を手前に向けた状態で右外側板６の内側面に付け替えることができる。
【００３１】
(2).灯具とその支持ブラケット
本実施形態では、側板５，６と背板８と中仕切板９とが請求項に記載した起立板になっており、このうちの左外側板５を灯具支持板と成して、これには灯具２５を取り付けている。この点を図４〜６も参照して説明する。
【００３２】
灯具２５は、支柱２６とその上端に取り付けた前向きのアーム２７、アーム２７の前端に取り付けた下向き開口のシェード２８を有しており、シェード２８の内部に、直管状のＬＥＤランプ又は蛍光灯ランプを配置している。支柱２６の下端には、下向きの足部３０を有するベース体２９が取り付けられており、足部３０が、左外側板５の外面に固定された支持ブラケット３１の筒部３２に水平旋回自在に嵌め込まれている。
【００３３】
支柱２６は、前後回動させ得る状態でベース体２９に連結されており、従って、支柱２６は前後に傾動させることができる。また、アーム２７も、水平状の軸心回りに上下回動させ得るように（首振りできるように）、支柱２６の上端にジョイント部２６ａ，２７ａを介して連結されている（ジョイント部２６ａ，２７ａは、摘み付きボルトで連結されている。）。更に、シェード２２は、水平旋回可能な状態でアーム２７の前端に連結されている。
【００３４】
なお、アーム２７を平面視で屈曲自在に連結された複数の部材で構成したり、アーム２７を伸縮式に構成したりすることにより、シェード２２の左右移動範囲を大きくすることが可能である。支柱２６は上下伸縮式であってもよい。
【００３５】
例えば図４に示すように、支持ブラケット３１は、外側板５の外側面に重なる板状部３３を有しており、板状部３３の前端に筒部３２を溶接している。従って、実施形態の板状部３３と筒部３２とはスチール製である（全体を樹脂製とするなど、素材は任意に選択できる。）。
【００３６】
支持ブラケット３１の筒部３２は左外側板５の手前に位置しているが、図５（Ａ）に明示するように、筒部３２は、平面視において左外側板５の内側面の延長線３４よりも若干の寸法Ｅだけ外側にずれている。従って、筒部３２の全体が、棚装置４の収容部の左外側にずれている。また、図１に示すように、外側板５は天板２の側面よりも若干の寸法だけ左右内側に位置しているが、筒部３２は、天板２の側面よりも外側にはみ出ないように設定している。
【００３７】
他方、板状部３３は側面視で略四角形の形態であり、左外側板５の外側面に上下２本のビス３５で固定されている。従って、正面視や平面視において、板状部３３は筒部３２の軸心よりも左外側にずれているが、正面視では、板状部３３の全体が筒部３２の後ろに隠れている。このため、支持ブラケット３１は全体としてスッキリした外観を呈している。
【００３８】
また、図５（Ａ）のとおり、板状部３３の上下巾（高さ）寸法は筒部３２の上下長さ（高さ）よりも少し短くなっており、かつ、上下対称の形態になっている。このため、上下にひっくり返すことにより、右外側板６に付け替えることできる。板状部３３と筒部３２とは、上下高さを同じに設定してもよい。この場合、寸法の取り合いとしては、図面において、板状部３３の高さを板状部３３に合わせてもよいし、筒部３２の高さを板状部３３の高さに合わせてもよい。
【００３９】
板状部３３は鋼板等の単一構造にすることも可能であるが、本実施形態では、上下縁及び後端縁に後ろ向きの縁片３６を形成することにより、板状部３３を左外側板５に向いて開口した浅いトレー状に形成して、その内部に鋼板製又は樹脂製のスペーサ３７を嵌め入れている。これにより、板状部３３を薄鋼板で製造しつつ、全体的にある程度の厚みを確保し、かつ、縁片３６のリブ効果によって高い強度を確保することができる。
【００４０】
スペーサ３７は、上下の縁片３６に形成したかしめ部３６ａにより、板状部３３から離反不能に保持されている。また、スペーサ３７の上下中間部に上下長手で四角形の係合穴３８を形成する一方、板状部３３には、係合穴３８に嵌入してスペーサ３７を手前側に移動不能に保持する係合爪３９を切り起こしによって形成しており、これにより、スペーサ３７はかしめ部３６ａのみの押さえでありながら、ずれのない状態で板状部３３に保持されている。スペーサ３７を使用する場合、これを鋼板製として板状部３３に溶接することも可能である。
【００４１】
筒部３２と左外側板５との間には、ある程度の間隔が空いている。従って、板状部３３は、左外側板５に重なることなく左外側板５の手前に露出した部分が存在している。すなわち、板状部３３は、左外側板５の前端から手前にオーバーハングしている。そこで、ビス３５が貫通する取付け穴４０は、板状部３３の後端側にずれて配置されている。
【００４２】
更に、図５（Ａ）に示すように、ビス３５は皿ビスが使用されているが、スペーサ３７に、ビス３５の座面が重なるテーパテーパ面４０ａを形成して、板状部３３の取付け穴４０はストレートに形成している（従って、板状部３３の加工は容易である。）。従って、スペーサ３７がビス３５で左外側板５に固定されて、板状部３３はスペーサ３７を介して左外側板５に固定されている。また、ビス３５の頭は、その全体が取付け穴４０に内部に隠れている。棚装置４の左外側板５には、ビス３５がねじ込まれる鬼目ナッ４１を嵌着している。
【００４３】
図６に示すように、支持ブラケット３１の筒部３２には、上からはブッシュ４２が嵌まって、下からはキャップ４３が嵌着している。そして、ベース体２９と支柱２６とに、左右方向から重なったジョイント部２９ａ，２６ｂを設けて、両者を、摘み４４ａを備えボルト４３で締結している。ジョイント部２９ａ，２６ｂはボルト４４の軸心回りにある程度の角度だけ相対回転できるようになっている。従って、ボルト４３は支軸を構成しており、ボルト４３を緩めると支柱２８を前後回動させることができる。このため、ランプを使用者の側に大きく寄せることができる。
【００４４】
支柱２８は左右長手で中実の板状構造になっているが、丸棒や丸パイプ、小判形の棒又はパイプなど、様々なものを採用できる。灯具２５の電源ケーブル４５（図３参照）は、例えば、支柱２８及びアーム２７に沿わせて配置してシェード２５に引き込まれているが、支柱２６をパイプで構成した場合は、支柱２８の内部に電源ケーブル４４を挿入することも可能である。
【００４５】
(3).第１実施形態のまとめ
以上の構成において、支持ブラケット３１及び灯具２５の支柱２６は、左外側板５の内側面よりも外側に位置しているため、左外側板５の内側をテキストやノート等の物品の収容部としてフルに使用することができる。しかも、灯具２５の支柱２６は左外側板５の手前に位置しているため、アーム２７の長さを長くすることなく、シェード２８（ランプ）を使用者に近づけることができる。このため、シェード２８の安定性に優れている。
【００４６】
また、支持ブラケット３１の筒部３２は円筒形であり、灯具２５におけるベース体２９の足部３０は円形であるため、灯具２５は、足部３０の軸心回りに水平旋回自在である。このため、机上面の照明位置の変更も容易であって使い勝手がよい。
【００４７】
支持ブラケット３１は、その全体が外側板６の内側面よりも左右外側に位置しているた、棚装置４の内部への物品の出し入れに際して支持ブラケット３１が邪魔になることはない。また、物品を、その前部が外側板５の手前に張り出す状態で収納しても、物品は外側板５の内側面に密着させて収納できるため、物品の収容容積を低下させることもない。
【００４８】
また、筒部３２が天板２の側面よりも外側にはみ出ないように設定されているため、例えば、２つの机を、灯具同士を隣合わせた状態で左右に重ねて並設することができる。また、天板２の側面を建物の壁や他の家具の側面に当接させた状態に設置するにおいて、支持ブラケット３１が壁や家具に当たることも防止できる。
【００４９】
なお、既述のように、外側板５を天板２に固定するクランプ金具は天板２の側面の外側に位置しているので、本実施形態では、正確に見ると、支持ブラケット３１は、クランプ金具の外側にはみ出ないように設定しておいたらよい。
【００５０】
灯具２５のアーム２７及びシェード２８（或いはランプ）は外側板５の上方に配置されているが、支柱２６の高さ（長さ）を考慮して、アーム２７及びシェード２８が棚板７に載せた物品の最大高さ（例えば、Ａ４版の教科書類を立てて置いた場合の上端の高さ）よりも少し上に位置するように、支持ブラケット３１による灯具２６の支持高さ位置を設定すると、棚板７の上方の物品収容容積が低下することは全くないと共に、棚板７への物品の出し入れに際してシェード２８やアーム２７が邪魔になることもなく、また、ランプの照度も有効利用できる。
【００５１】
図６（Ｂ）に示すように、灯具２６の支柱２６とベース体２９とのジョイント部２６ｂ，２９ａは平面視で四角形になっており、このため、灯具２５を水平旋回させると、コーナー部が棚装置の内部方向に移動するが、筒部３２が左外側板５の内側面に対して若干の寸法Ｅだけ外側にずれているため、灯具２５を水平旋回させても、コーナー部が左外側板５の内側に突出することを防止又は著しく抑制できる。従って、物品が筒部３２の個所まで手前にはみ出ていても、ジョイント部２６ｂ，２９ａが物品の邪魔になることはない。この点、本実施形態の利点の一つである。
【００５２】
既述のように、支持ブラケット３１は右外側板６に付け替えることもできる。この場合、支柱２５や筒部３２は棚装置４の内部にはみ出ないため、引出し１０の前後動に支障をきたすことはない。また、支持ブラケット３１を中仕切板９に固定することも可能である。中仕切板９に固定した場合は、板状部３３は棚装置４の内部に入り込むが、板状部３３と薄いので、収納部が犠牲になる割合は特許文献１に比べて遥かに小さい。
【００５３】
本実施形態では、ベース体２９で支柱２６を回動可能に支持しているが、支柱の２６の下端部を筒部３２に直接挿入してもよい。すなわち、支柱２６は必ずしも前後回動可能である必要はない。
【００５４】
(4).他の実施形態
次に、図７，８に示す他の実施形態を説明する。図７（Ａ）（Ｂ）に示す第２実施形態は、板状部３３を１枚の金属板（鋼板）で構成している。この実施形態では、構造がシンプルになる。板状部３３の後端の上下のコーナー部は側面視で大きなアールを取っているが、一点鎖線で示すように直角に形成してもよい（この点は第１実施形態も同様である。）。また、（Ｂ）に二点鎖線で示すように、板状部３３は、筒部３２と同じ高さの単なる四角形に形成することも可能である。
【００５５】
図７（Ｃ）に示す第３実施形態では、板状部３３の前部を平面視階段状（クランク状）に曲げて、その先端を筒部３２の真後ろ部に固定している。この実施形態では、板状部３３の前端面が筒部３２の軸心の後ろに位置しているため、筒部３２の安定性に優れている。１枚の金属板を曲げることにより、板状部３３と筒部３２とを一体に構成することも可能である（この点は、他の実施形態も同様である。）。
【００５６】
図８に示す実施形態では、筒部３２を灯具支持板４６の上に配置した例を示している。（Ａ）（Ｂ）に示す第４実施形態では、板状部３３の前面に筒部３２を溶接している。他方、（Ｃ）に示す第５実施形態では、板状部３３の上部を二股状に形成して、二股部の内面に筒部３２を溶接している。従って、（Ｃ）に示す第５実施形態では、板状部３３が筒部３２の後ろにはみ出ることを防止できる利点がある。
【００５７】
また、第４実施形態では、板状部３３にバーリング部４６を形成して、灯具支持板４５に挿通したビス３５をバーリング部４６にねじ込んでいる。もとより、灯具支持板４５に鬼目ナット等の雌ねじを設けてもよい。逆に、第１実施形態の板状部３３に雌ねじを設けるこもと可能である。灯具支持板４５は、外側板５，６と背板８と中仕切板９とのいずれにも対応しうる。外側板５，６と背板８とに適用すると、板状部３３は棚装置４の外面に配置されるため、収容容積の減少を防止できる。
【００５８】
図３に示すように、背板８は外側板５，６の後面よりも少し手前にずれていることが多く、この場合は、既述のように、壁と背板８との間に若干の前後間隔の空間が空くため、図８の実施形態の板状部３３を配置するスペースを十分に確保できる。従って、背板６への適用にも好適である。
【産業上の利用可能性】
【００５９】
本願発明は、机用の棚装置に具体化できる。従って、産業上利用できる。
【符号の説明】
【００６０】
１  机
２  机の天板
４  棚装置
５  灯具支持板である左外側板
６  起立板の一例でかつ灯具支持板たり得る右外側板
７  棚板
８  起立板の一例でかつ灯具支持板に適用可能な背板
９  起立板の一例でかつ灯具支持板に適用可能な中仕切板
２５  灯具
２６  支柱
２７  アーム
２８  シェード
２９  ベース体
３０  ベース体の足部
３１  支持ブラケット
３２  筒部
３３  板状部
３５  ビス
４６  灯具支持板
【図１】
2017029379.tif 000003
【図２】
2017029379.tif 000004
【図３】
2017029379.tif 000005
【図４】
2017029379.tif 000006
【図５】
2017029379.tif 000007
【図６】
2017029379.tif 000008
【図７】
2017029379.tif 000009
【図８】
2017029379.tif 000010